(57)【要約】【課題】椅子用足踏みホイルを快速かつ安定に定位することができる。【解決手段】椅子用足踏みホイルの中心にはボスが設けてあり、前記ボスの嵌め穴には支持チューブにあるスリーブの外面に設けたリブに対応する定位溝が設けてあり、前記スリーブの鉛直に配列した窪みはボスの外面に設けたオス螺旋段に対応し、また、前記オス螺旋段には直径方向に貫通した貫通孔が開設してあり、ピンが前記貫通孔を挿通し、且つ前記ピンの中段には突起が設けてあり、弾性素子とハウジングとが前記ピンの他端から嵌め込まれ、前記ハウジングの一端には前記オス螺旋段と螺着するメス螺旋段が設けてあり、前記ピンの他端にはハンドルが設けてあることを特徴とする椅子用足踏みホイルの構造。【選択図】図２
0003111057.tif 000002
【実用新案登録請求の範囲】
【請求項１】
椅子用足踏みホイルの中心にボスを設け、
前記ボスの嵌め穴には、支持チューブにあるスリーブの外面に設けたリブに対応する定位溝を設け、
前記スリーブの鉛直に配列した窪みはボスの外面に設けたオス螺旋段に対応し、
また、前記オス螺旋段には直径方向に貫通した貫通孔が開設してあり、
ピンを前記貫通孔に挿通し、
且つ前記ピンの中段には凸縁が設けてあり、
弾性素子とハウジングとが前記ピンの他端から嵌め込まれ、
前記ハウジングの一端には前記オス螺旋段と螺着するメス螺旋段が設けてあり、
前記ピンの他端にはハンドルを設けたことを特徴とする、
椅子用足踏みホイルの構造。
【請求項２】
前記ピンの他端には直径方向に貫通した貫通孔を開設し、
前記貫通孔はハンドルに開設した貫通孔に対応し、
締結素子によって二つの前記貫通孔を締結することで、ピンをハンドルに固定することを特徴とする、
請求項１に記載の椅子用足踏みホイルの構造。
【考案の詳細な説明】
【技術分野】
【０００１】
本考案は、椅子用足踏みホイルの構造に係り、特に、椅子支持チューブに嵌合するスリーブに設けた窪みと、ボスを移動自在に挿通するピンとにより、足踏みホイルを快速かつ安定に定位することができる椅子用足踏みホイルの構造に関するものである。
【背景技術】
【０００２】
図１に示すのは従来の椅子用足踏みホイルの構造であり、椅子用足踏みホイル１の中心に一つのボス１１が設けてあり、支持チューブ２１がボス１１と嵌合する。
また、前記ボス１１には螺着素子１２が直径方向にねじ込んであり、ねじ込まれた螺着素子１２が支持チューブ２１を圧迫し、これにより、椅子用足踏みホイルの高さが固定される。
【考案の開示】
【考案が解決しようとする課題】
【０００３】
しかしながら、これは次のような欠点があった。
（１）椅子用足踏みホイルを踏むことで加わる力が螺着素子の圧迫力より大きい場合には、椅子用足踏みホイルが墜落することがよくあった。
【０００４】
（２）椅子用足踏みホイルの高さの調整作業は、まず、螺着素子を緩めて、椅子用足踏みホイルを希望の高さまで調整した後に、手で螺着素子をねじ込んで支持チューブを圧迫することで行うが、高さの調整作業は極めて不便であった。
【課題を解決するための手段】
【０００５】
上記欠点を解決するためになされた本願の第一考案は、椅子用足踏みホイルの中心にボスを設け、前記ボスの嵌め穴には、支持チューブにあるスリーブの外面に設けたリブに対応する定位溝を設け、前記スリーブの鉛直に配列した窪みはボスの外面に設けたオス螺旋段に対応し、また、前記オス螺旋段には直径方向に貫通した貫通孔が開設してあり、ピンを前記貫通孔に挿通し、且つ前記ピンの中段には凸縁が設けてあり、弾性素子とハウジングとが前記ピンの他端から嵌め込まれ、前記ハウジングの一端には前記オス螺旋段と螺着するメス螺旋段が設けてあり、前記ピンの他端にはハンドルを設けたことを特徴とする、椅子用足踏みホイルの構造であることを要旨としている。
【０００６】
本願の第二考案では、前記ピンの他端には直径方向に貫通した貫通孔を開設し、前記貫通孔はハンドルに開設した貫通孔に対応し、締結素子によって二つの前記貫通孔を締結することで、ピンをハンドルに固定することを特徴とする、請求項１に記載の椅子用足踏みホイルの構造であることを要旨としている。
【考案の効果】
【０００７】
本考案に係る椅子用足踏みホイルの構造によれば、次のような効果がある。
（１）本考案では、スリーブにある窪みにピンを挿入することにより、椅子用足踏みホイルを定位する。このため、極めて大きい外力によってピンを断裂しないと、椅子用足踏みホイルは墜落しないため、椅子用足踏みホイルは安定に定位する。
【０００８】
（２）従来のものは手で螺着素子を回転することにより、椅子用足踏みホイルの定位を解除し又はロックをするものであるが、本考案ではピンが手で引き出され、ピンの回復が弾性素子によるのであり、ピンの窪みへの脱着は椅子用足踏みホイルの定位を解除し又はロックをするものなので、本考案は従来のものに比べ定位方式がより便利になる。
【考案を実施するための最良の形態】
【０００９】
以下、添付図面を参照して本考案の好適な実施の形態を詳細に説明する。
【００１０】
まず、図２を参照する。
本考案に係る椅子用足踏みホイルは、使用者が足で踏んだり、足を休めたりする椅子用足踏みホイル３が設けてある。
前記椅子用足踏みホイル３の中心にはボス３１が設けてあり、前記ボス３１の嵌め穴３１１には支持チューブ４１にあるスリーブ３２の外面に設けたリブ３２１に対応する定位溝３１２が設けてあり、前記スリーブ３２の鉛直に配列した窪み３２２はボス３１の外面に設けたオス螺旋段３１３に対応する。
また、前記オス螺旋段３１３には直径方向に貫通した貫通孔３１４が開設してあり、ピン３３が前記貫通孔３１４を挿通し、且つ前記ピン３３の中段には凸縁３３１が設けてあり、前記ピン３３の他端には直径方向に貫通した貫通孔３３２が開設してある。
弾性素子３４とハウジング３５とが前記ピン３３の他端から嵌め込まれ、前記ハウジング３５の一端には前記オス螺旋段３１３と螺着するメス螺旋段３５１が設けてあり、前記ピン３３の他端にはハンドル３６が設けてある。
前記貫通孔３３２がハンドル３６に開設した貫通孔３６１に対応し、締結素子３７によって二つの前記貫通孔３３２，３６１を締結すると、ピン３３がハンドル３６に固定される。
【００１１】
また、図３と図４を参照する。本考案の取付け作業は、椅子用足踏みホイル３にあるスリーブ３２を椅子４の支持チューブ４１に嵌合する。
スリーブ３２に設けたリブ３２１にボス３１の嵌め穴３１１にある定位溝３１２を対応して、ボス３１をスリーブ３２に嵌合することにより両者を互いに定位する。
ボス３１に設けたオス螺旋段３１３にスリーブ３２に設けた窪み３２２を対応して、オス螺旋段３１３に開設した貫通孔３１４にピン３３の一端を挿入して、ピン３３の他端に弾性素子３４とハウジング３５とを嵌め込んで、オス螺旋段３１３にハウジング３５に設けたメス螺旋段３５１をねじ込む。
このとき、弾性素子３４は、一端がハウジング３５内に当接し、他端がピン３３の凸縁３３１に当接し、且つピン３３の一端をスリーブ３２の窪み３２２に挿入して、ハウジング３５の外側に延びたピン３３の一端をハンドル３６に嵌合する。
ピン３３に設けた貫通孔３３２をハンドル３６に開設した貫通孔３６１に対応して、締結素子３７によって二つの前記貫通孔３３２，３６１を締結すると、ピン３３がハンドル３６に固定される。
【００１２】
本考案を使用するときには、使用者の身長によって椅子用足踏みホイル３の高さを調整する。
詳細な調整手順は、一つの手でハンドル３６を握ってピン３３を外側へ引いて、ピン３３がスリーブ３２にある窪み３２２から離脱した後、ボス３１をスリーブ３２で摺動する。
このとき、弾性素子３４がピン３３にある凸縁３３１に圧迫されて圧縮状態になる。
また、もう一つの手で椅子用足踏みホイル３を上下に移動し、椅子用足踏みホイル３が希望の高さに位置するときには、ピン３３を解放して、圧縮された弾性素子３４が回復してピン３３にある凸縁３３１を押して、ピン３３をスリーブ３２の他の窪み３２２に挿入し、これにより、椅子用足踏みホイル３を再び定位する。
【図面の簡単な説明】
【００１３】
【図１】従来のものの組合状態の斜視図である。
【図２】本考案の分解斜視図である。
【図３】本考案の組合状態を示す断面図である。
【図４】本考案の一部の拡大断面図である。
【符号の説明】
【００１４】
１        椅子用足踏みホイル
１１      ボス
１２      螺着素子
２        椅子
２１      支持チューブ
３        椅子用足踏みホイル
３１      ボス
３１１    嵌め穴
３１２    定位溝
３１３    オス螺旋段
３１４    貫通孔
３２      スリーブ
３２１    リブ
３２２    窪み
３３      ピン
３３１    突起
３３２    貫通孔
３４      弾性素子
３５      ハウジング
３５１    メス螺旋段
３６      ハンドル
３６１    貫通孔
３７      締結素子
４        椅子
４１      支持チューブ
【図１】
0003111057.tif 000003
【図２】
0003111057.tif 000004
【図３】
0003111057.tif 000005
【図４】
0003111057.tif 000006